(57)【要約】      （修正有）【課題】地震後により破壊されたドアに応急措置を施して、仮施錠できる盗難防止装置及び方法を提供する。【解決手段】盗難防止方法は、下枠４と、下枠４に対して上下動が可能な上枠５と、開口部付きの固定板をドア枠２に取り付ける工程と、地震後に上枠５を上方に引き出して、突出枠を出現させる工程と、チェーン８でドア３の外側取っ手３１と突出枠の間を連結する工程を有する。【選択図】図５
2018184773.tif 000002
【特許請求の範囲】
【請求項１】
地震後の盗難防止装置であって、
下枠（４）と、
前記下枠（４）に対して上下動が可能な上枠（５）と、
設置時にドア枠（２）に固定される、開口部（６１）付きの固定板（６）と、
チェーン（８）を有し、
上記上枠（５）は、通常時は前記固定板（６）の前記開口部（６１）から突出することはないが、地震後に前記開口部（６１）を通して上方に引き出して突出枠（５６）を出現させ、この突出枠（５６）を通して前記チェーン（８）を通過させることができる
ことを特徴とする地震後の盗難防止装置。
【請求項２】
前記下枠（４）と前記上枠（５）の間に押バネ（７）が設置され、自然状態では前記下枠（４）と前記上枠（５）同士がひきつけられていて、上記上枠（５）が前記固定板（６）の前記開口部（６１）から突出しない請求項１記載の装置。
【請求項３】
前記押バネ（７）が第１上板（４３）と上枠（５）の第２下板（５１）の間に設けられる請求項２記載の装置。
【請求項４】
前記押バネ（７）が、この押バネ（７）の内側に配置されたガイド軸（４７）に沿って案内される請求項２又は３記載の装置。
【請求項５】
前記上枠（５）を人為的に上方に引き出すためのつまみ（５５）が設けられている請求項１〜４のいずれかに記載の装置。
【請求項６】
前記下枠（４）は１枚の細長い金属板を所々で折り曲げて形成されたもので、第１下板（４１）と、この第１下板（４１）の両端から延びる２枚の第１側板（４２）と、各第１側板（４２）の上端から互いに接近する方向に延びる２枚の短い第１上板（４３）を有する請求項１〜５のいずれかに記載の装置。
【請求項７】
前記上枠（５）は１枚の細長い金属板を所々で折り曲げて形成されたもので、両端に位置する２枚の第２下板（５１）と、これら第２下板の各端部から立ち上がる２枚の第２側板（５２）と、これらの第２側板（５２）をつなぐ１枚の第２上板（５３）からなる請求項１〜６のいずれかに記載の装置。
【請求項８】
地震後の盗難防止方法であって、
下枠（４）と、前記下枠（４）に対して上下動が可能な上枠（５）と、開口部（６１）付きの固定板（６）をドア枠（２）に取り付ける工程と、
地震後に前記上枠（５）を上方に引き出して、突出枠（５６）を出現させる工程と、
チェーン（８）でドア（３）の外側取っ手（３１）と前記突出枠（５６）の間を連結する工程
を有することを特徴とする地震後の盗難防止方法。
【発明の詳細な説明】
【技術分野】
【０００１】
本発明は、地震後の盗難防止装置及び方法に関する。
【背景技術】
【０００２】
大地震のために家屋が損壊したとき、ドア枠が変形して、ドアの開閉ができなくなることがある。ドアが開かないために外に出られずに救助が遅れたり、最悪のケースでは、発生した火災にのみ込まれて焼死したり、余震による建物の倒壊によって圧死したりするということもある。このような事態を防ぐために、下記特許文献等に記載されたような発明・考案が提案されている。本出願人も現在未公開の出願においてドア枠変形に対応可能なドアを提案している。それらの結果、現在では大地震があっても、安全にドアを開けて外に脱出することができるようになりつつある。
【先行技術文献】
【特許文献】
【０００３】
【特許文献１】実開昭６１-０６５１９０号公報
【特許文献２】特開平０９-１８９１７４号公報
【特許文献３】特開平１０-１８４２１８号公報
【特許文献４】特開平１０-２８０８２１号公報
【特許文献５】特開２００５−１６３４６６号公報
【発明の概要】
【発明が解決しようとする課題】
【０００４】
ところが、いったん脱出に成功しても今度はドアを閉めて施錠することができないという新たな問題に直面することになる。その理由は次のように考察される。
【０００５】
（１）対震性能がないドアの場合
（Ａ）ドアが閉まっているときは、ドアの厚み（ドア厚部）部と枠内面で接触をしているので弓なり状態で突っ張っていたのが、ドアが開いた途端に弓なりが解け、歪んだ枠内にドアを閉めることが困難となる。
（Ｂ）接触圧力が吊金具（丁番等）にも伝わり、吊金具が変形することや、ドア枠が接触時は吊金具も突っ張り状態だが、ドアが開いた途端にある程度正常形状に戻る、もしくは変形したままのため、ドアは閉鎖困難となる。
【０００６】
（２）対震性能のあるドアの場合
（Ｃ）枠の変形が大きいと上記（Ａ）（Ｂ）と同じ状態となる。
（Ｄ）対震丁番や対震ドアはバネ構造を有し、ドア枠の接触時にはバネを介して接触圧力を軽減しドアは開きやすいが、ドアが開いた途端にバネが正常位置に戻り（すなわち、ドアが正常位置に戻り）、ドアは閉鎖困難となる。
【０００７】
（３）対震性能の有無にかかわりなく
（Ｅ）ドアが閉まっていて開放困難の場合は、ドアの厚み（ドア厚部）部と枠内面で接触をしているので、摩擦係数（圧力）の大小でドアの開放力が変化する。しかし、ドアが閉鎖困難の場合は枠外面とドア内面が干渉し、閉めることができないため、ドアの開放困難の場合と比べさらに大きな力でないと閉めることができない。
【０００８】
このような状況下で、外に脱出した人たちはとりあえず避難所や親戚・友人の家に向かうので、被災した家は施錠されていない空き家となる。テレビなどの報道によると、そうした空き家に空き巣が侵入して、残された金品を奪い取る窃盗事件が多発している。
【０００９】
それを防ぐためにドアにチェーンを巻きつけることも行われているようであるが、素人が急ごしらえで行っているので十分なものとは言い難いのが実情である。
【００１０】
本発明は、そのような事態に備えて、地震発生の前、好ましくは新築時に設置しておく盗難防止装置とその使用法を提供する。
【課題を解決するための手段】
【００１１】
本発明の地震後の盗難防止装置は、下枠４と、前記下枠４に対して上下動が可能な上枠５と、設置時にドア枠２に固定される、開口部６１付きの固定板６と、チェーン８を有し、上記上枠５は、通常時は前記固定板６の前記開口部６１から突出することはないが、地震後に前記開口部６１を通して上方に引き出すことにより突出枠５６を出現させ、この突出枠５６を通して前記チェーン８を通過させることができることを特徴とする（請求項１）。
【００１２】
好ましくは、前記下枠４と前記上枠５の間に押バネ７が設置され、自然状態では前記下枠４と前記上枠５同士がひきつけられていて、上記上枠５が前記固定板６の前記開口部６１から突出しない（請求項２）。
【００１３】
前記押バネ７は第１上板４３と上枠５の第２下板５１の間に設けるのが好ましい（請求項３）。前記押バネ７は、この押バネ７の内側に配置されたガイド軸４７に沿って案内されるようにするのが好ましい（請求項４）。
【００１４】
好ましくは、前記上枠５を人為的に上方に引き出すためのつまみ５５が設けられている（請求項５）。
【００１５】
好ましくは、前記下枠４は１枚の細長い金属板を所々で折り曲げて形成されたもので、第１下板４１と、この第１下板４１の両端から延びる２枚の第１側板４２と、各第１側板４２の上端から互いに接近する方向に延びる２枚の短い第１上板４３を有する（請求項６）。
【００１６】
好ましくは、前記上枠５は１枚の細長い金属板を所々で折り曲げて形成されたもので、両端に位置する２枚の第２下板５１と、これら第２下板の各端部から立ち上がる２枚の第２側板５２と、これらの第２側板５２をつなぐ１枚の第２上板５３からなる（請求項７）。
【００１７】
本発明の地震後の盗難防止方法は、下枠４と、前記下枠４に対して上下動が可能な上枠５と、開口部６１付きの固定板６をドア枠２に取り付ける工程と、地震後に前記上枠５を上方に引き出して、突出枠５６を出現させる工程と、チェーン８でドア３の外側取っ手３１と前記突出枠５６の間を連結する工程を有することを特徴とする（請求項８）。
【発明の効果】
【００１８】
本発明の装置及び方法によれば、地震後に前記上枠５を上方に引き出して、突出枠５６を出現させ、チェーン８でドア３の外側取っ手３１と前記突出枠５６の間を連結することができる。新築時にこの装置を設けておけば、地震後にかなりしっかりした防犯対策となる。簡単な装置なので設置費用もあまりかからない。
【図面の簡単な説明】
【００１９】
【図１】本発明実施例の盗難防止装置の斜視図である。
【図２】盗難防止装置の分解斜視図である。
【図３】取り付け状態かつ不使用時における盗難防止装置の（ａ）正面図、（ｂ）左側面図、（ｃ）断面図、（ｄ）平面図である。
【図４】取り付け状態かつ使用時における盗難防止装置の（ａ左側面図、（ｂ）断面図、（ｃ）平面図である。
【図５】（ａ）盗難防止装置使用前の玄関平面図である。（ｂ）盗難防止装置を使用中の玄関平面図である。
【発明を実施するための形態】
【００２０】
以下、添付の図面に基づき、本発明の実施例を説明する。
【実施例１】
【００２１】
図１〜図５は本発明実施例の盗難防止装置１を示している。この装置１は、地震が発生する前、好ましくは新築時にあらかじめ取り付けておくものである。
【００２２】
取り付ける場所は、室内側のドア枠２であり、ドア３（図５参照）の取っ手３１の近くである。図示の盗難防止装置１は独立した装置であるが、設計次第では、ドアガードやドアチェーンと組み合わせて一体の装置とすることもできる。
【００２３】
盗難防止装置１は、図１〜４に示すように、下枠４と、この下枠に対して上下動する上枠５と、これら上下枠４，５が取り付けられる固定板６を有する。
【００２４】
下枠４は、１枚の細長い金属板を所々で折り曲げて形成されたもので、第１下板４１と、この第１下板４１の両端から延びる２枚の第１側板４２，４２と、各第１側板４２の上端から互いに接近する方向に延びる２枚の短い第１上板４３，４３を有する。第１下板４１にはネジ穴４４、第１上板４３の上にはネジ穴４５が設けられている。ネジ穴４４を通して、ネジ４６が挿通し、ネジ穴４５を通してネジ６４が挿通する。ネジ４６とネジ６４の間を内径ネジ山付きのガイド軸４７が連結し、これが押バネ７（後述）のガイドとなる。ガイド軸４７は、押バネ７の引っ掛かりをなくして、上枠５をスムーズに上下動させる。
【００２５】
上枠５は、１枚の細長い金属板を所々で折り曲げて形成されたもので、両端に位置する２枚の第２下板５１と、これら第２下板の各端部から立ち上がる２枚の第２側板５２，５２と、これらの第２側板５２をつなぐ１枚の第２上板５３からなる。第２下板５１には、ネジ穴５４が設けられている。第２上板５３の上には、人が指でつまむことのできるつまみ５５が設けられている。
【００２６】
下枠４の２枚の第１上板４３，４３と上枠５の２枚の第２下板５１，５１の間には、ガイド軸４７によってガイドされる押バネ７が設置されている。そのため、通常時は、図１、図３、図５（ａ）に示すように、第１上板４３，４３と第２下板５１，５１はバネ７の付勢力により互いに最大限に離れた状態にある。この状態では、上枠５は下枠４方向に押されるので、固定板６、開口部６１と第２上板５３はほぼ一列に整列する。
【００２７】
固定板６は、ドア枠２に取り付けられるもので、中央にくりぬかれた開口部６１を有すると共に、ネジ穴６２，６３を有する。固定板６と第１上板４３は、ネジ穴４５、６３を通して、ネジ６４が挿通する。ネジ６４がガイド軸４７を支持することは前記したとおりである。固定板６はドア枠２に対してネジ穴６２を通してネジ６５により固定される。
【００２８】
上枠５が上下動するとき、第２上板５３が固定板の開口部６１から出没する。通常時は、図１、図３、図５（ａ）に示すように、第２上板５３は開口部６１とほぼ一列に整列する。そのため、通常時は、ドア枠２から突出しないので、邪魔にならずすっきりした外観を与えることができる。
【００２９】
しかし、第２上板５３のつまみ５５を指でつまみ、バネ７の力に抗して引きあげると、図４のように、上枠５は上方向に前進するので、第２上板５３と第２側板５２，５２に囲まれた突出枠５６が出現する。次記するように、この突出枠５６にチェーン８を通過させることにより、チェーンを固定することができる。
【００３０】
この盗難防止装置１を使用して施錠するには、図５（ｂ）に示すように、別に用意したチェーン８でドア３の外側取っ手３１（レバーハンドル又はドアノブ）と盗難防止装置１の間を連結する。チェーン８は、ドア枠２とドア３の隙間及び突出枠５６を通過する。取っ手３１の位置（高さや寄り）はメーカーにより多少の変動はあり、地震後のドア枠の変形状況によっても変動するが、長めのチェーンを用意しておけば任意の位置で施錠が可能である。最後に、チェーン８の両端８１を南京錠８２などで施錠する。ドア３を開くときには逆の操作をする。
【００３１】
この盗難防止装置１を使用することにより、ドア３がドア枠２に対して確実に施錠される。万一、空き巣に入られた場合でも、不正開錠、破錠などの痕跡がチェーンに残るので、すぐに警察に通報するなどして初動捜査が容易となる。
【００３２】
なお、この盗難防止装置１は、チェーンをチェーンカッターなどで切断するような空き巣に対しては有効な対応策とはならない。しかし、そのようなチェーンカッターを持ち歩くような不審者はだれの目にもつくので、そのような行為はおのずと抑制されると考えられる。また、本装置１は、地震後に長期間使用するものではなく、あくまで緊急事態用のものであるのであるので、ある程度の脆弱性は許容されると考えられる。
【符号の説明】
【００３３】
１     盗難防止装置
２     ドア枠
３     ドア
３１   取っ手
４     下枠
４１   第１下板
４２   第１側板
４３   第１上板
４４   ネジ穴
４５   ネジ穴
４６  ネジ
４７  ガイド軸
５     上枠
５１   第２下板
５２   第２側板
５３   第２上板
５４   ネジ穴
５５  つまみ
５６   突出枠
６     固定板
６１   開口部
６２   ネジ穴
６３   ネジ穴
６４   ネジ
６５   ネジ
７     押バネ
８     チェーン
【図１】
2018184773.tif 000003
【図２】
2018184773.tif 000004
【図３】
2018184773.tif 000005
【図４】
2018184773.tif 000006
【図５】
2018184773.tif 000007